(57)【要約】  ユーザ機器(UE)は、モバイルデバイス中の1つまたは複数の加入者識別モジュール(SIM)(または仮想SIM)を介して1つまたは複数のネットワークオペレータに柔軟にまたは動的にアクセスすることができる。各SIMは、単一のネットワークオペレータへの認証/アクセスを提供し、したがって、マルチSIMは、複数のネットワークオペレータへのアクセスを可能にする。認証は、1つまたは複数の物理SIMおよび/または仮想SIMに基づくことができる。UE中の接続エンジンは、ネットワークオペレータ、たとえばワイヤレス/モバイルネットワークオペレータまたは通信事業者、およびそれらの対応する無線アクセス技術(RAT)の動的な選択および/または認証を可能にする。
2015527774.tif 000002
【特許請求の範囲】
【請求項１】
ワイヤレス通信の方法であって、
ユーザ機器（ＵＥ）の複数の加入者識別モジュール（ＳＩＭ）と前記ＵＥの複数の無線通信回線との関連付けを行うステップと、
前記関連付けに少なくとも部分的に基づいて前記ＵＥと通信するステップと
を有する、方法。
【請求項２】
ＵＥの複数のＳＩＭと前記ＵＥの複数の無線通信回線との関連付けを行うステップが、前記ＵＥの単一の無線通信回線を使用して通信するために少なくとも２つのＳＩＭを関連付けるステップを含み、
前記関連付けに少なくとも部分的に基づいて前記ＵＥと通信するステップが、前記単一の無線通信回線上で前記少なくとも２つのＳＩＭの各々を使用して通信するステップを含む、請求項１に記載の方法。
【請求項３】
前記関連付けに少なくとも部分的に基づいて前記ＵＥと通信するステップが、２つ以上のネットワークと同時に通信するステップを含む、請求項１に記載の方法。
【請求項４】
前記複数のＳＩＭのうちの少なくとも１つが、仮想ＳＩＭ構成に従って実装される、請求項１に記載の方法。
【請求項５】
ＵＥの複数のＳＩＭと前記ＵＥの複数の無線通信回線との関連付けを行うステップが、通信メトリックを改善することに少なくとも部分的に基づく、請求項１に記載の方法。
【請求項６】
前記通信メトリックが、コスト、ネットワークカバレージ、ネットワーク輻輳、ネットワーク干渉、統合課金、サービス品質、帯域幅、Ｗｉ−Ｆｉオフロード効率、および／またはデバイス電力消費のうちの少なくとも１つを含む、請求項５に記載の方法。
【請求項７】
前記デバイス電力消費が、サービング基地局までの距離をカバーするための送信電力に基づく無線通信回線（ＲＡＴ）当たりの電力消費および／またはオペレータ当たりの電力消費に少なくとも部分的に基づく、請求項６に記載の方法。
【請求項８】
前記通信メトリックが、デバイス内無線アクセス技術の共存に基づくオペレータ選択を含む、請求項５に記載の方法。
【請求項９】
前記通信メトリックが、オペレータ当たりの１つまたは複数のポリシーに基づくオペレータ選択と、総合的ＵＥ挙動を管理する１つまたは複数の総合的ユーザポリシーに基づくオペレータ選択と、時刻に基づくオペレータ選択と、アプリケーション当たりの動作仕様に基づくオペレータ選択とのうちの少なくとも１つを含む、請求項５に記載の方法。
【請求項１０】
ワイヤレス通信のための装置であって、
ユーザ機器（ＵＥ）の複数の加入者識別モジュール（ＳＩＭ）と前記ＵＥの複数の無線通信回線との関連付けを行うための手段と、
前記関連付けに少なくとも部分的に基づいて前記ＵＥと通信するための手段と
を具備する、装置。
【請求項１１】
ＵＥの複数のＳＩＭと前記ＵＥの複数の無線通信回線との関連付けを行うための手段が、前記ＵＥの単一の無線通信回線を使用して通信するために少なくとも２つのＳＩＭを関連付けるための手段を含み、
前記関連付けに少なくとも部分的に基づいて前記ＵＥと通信するための手段が、前記単一の無線通信回線上で前記少なくとも２つのＳＩＭの各々を使用して通信するための手段を含む、請求項１０に記載の装置。
【請求項１２】
前記関連付けに少なくとも部分的に基づいて前記ＵＥと通信するための手段が、２つ以上のネットワークと同時に通信するための手段を含む、請求項１０に記載の装置。
【請求項１３】
仮想ＳＩＭ構成に従って前記複数のＳＩＭのうちの少なくとも１つを実装するための手段をさらに具備する、請求項１０に記載の装置。
【請求項１４】
ＵＥの複数のＳＩＭと前記ＵＥの複数の無線通信回線との関連付けを行うための手段が、通信メトリックを改善することに少なくとも部分的に基づいて関連付けを行うための手段を含む、請求項１０に記載の装置。
【請求項１５】
前記通信メトリックが、コスト、ネットワークカバレージ、ネットワーク輻輳、ネットワーク干渉、統合課金、サービス品質、帯域幅、Ｗｉ−Ｆｉオフロード効率、およびデバイス電力消費のうちの少なくとも１つを含む、請求項１４に記載の装置。
【請求項１６】
ワイヤレス通信のための装置であって、
メモリと、
前記メモリに接続された少なくとも１つのプロセッサと
を具備し、
前記少なくとも１つのプロセッサは、
ユーザ機器（ＵＥ）の複数の加入者識別モジュール（ＳＩＭ）と前記ＵＥの複数の無線通信回線との関連付けを行う手順と、
前記関連付けに少なくとも部分的に基づいて前記ＵＥと通信する手順と、
を実行するように構成される、装置。
【請求項１７】
ＵＥの複数のＳＩＭと前記ＵＥの複数の無線通信回線との関連付けを行う手順が、前記ＵＥの単一の無線通信回線を使用して通信するために少なくとも２つのＳＩＭを関連付ける手順を含み、
前記関連付けに少なくとも部分的に基づいて前記ＵＥと通信する手順が、前記単一の無線通信回線上で前記少なくとも２つのＳＩＭの各々を使用して通信する手順を含む、請求項１６に記載の装置。
【請求項１８】
前記関連付けに少なくとも部分的に基づいて前記ＵＥと通信する手順が、２つ以上のネットワークと同時に通信する手順を含む、請求項１６に記載の装置。
【請求項１９】
前記少なくとも１つのプロセッサが、仮想ＳＩＭ構成に従って前記複数のＳＩＭのうちの少なくとも１つを実装する手順を実行するようにさらに構成される、請求項１６に記載の装置。
【請求項２０】
ＵＥの複数のＳＩＭと前記ＵＥの複数の無線通信回線との関連付けを行う手順が、通信メトリックを改善することに少なくとも部分的に基づいて関連付けを行う手順を含む、請求項１６に記載の装置。
【請求項２１】
前記通信メトリックが、コスト、ネットワークカバレージ、ネットワーク輻輳、ネットワーク干渉、統合課金、サービス品質、帯域幅、Ｗｉ−Ｆｉオフロード効率、およびデバイス電力消費のうちの少なくとも１つを含む、請求項２０に記載の装置。
【請求項２２】
前記デバイス電力消費が、サービング基地局までの距離をカバーするための送信電力に基づく無線通信回線（ＲＡＴ）当たりの電力消費および／またはオペレータ当たりの電力消費に少なくとも部分的に基づく、請求項２１に記載の装置。
【請求項２３】
前記通信メトリックが、デバイス内無線アクセス技術の共存に基づくオペレータ選択を含む、請求項２０に記載の装置。
【請求項２４】
前記通信メトリックが、オペレータ当たりの１つまたは複数のポリシーに基づくオペレータ選択と、総合的ＵＥ挙動を管理する１つまたは複数の総合的ユーザポリシーに基づくオペレータ選択と、時刻に基づくオペレータ選択と、アプリケーション当たりの動作仕様に基づくオペレータ選択とのうちの少なくとも１つを含む、請求項２０に記載の装置。
【請求項２５】
ワイヤレスネットワークにおけるワイヤレス通信のためのコンピュータプログラム製品であって、
プログラムコードを記録した非一時的コンピュータ可読記録媒体を含み、
前記プログラムコードは、
ユーザ機器（ＵＥ）の複数の加入者識別モジュール（ＳＩＭ）と前記ＵＥの複数の無線通信回線との関連付けを行うためのプログラムコードと、
前記関連付けに少なくとも部分的に基づいて前記ＵＥと通信するためのプログラムコードと
を含む、コンピュータプログラム製品。
【請求項２６】
ＵＥの複数のＳＩＭと前記ＵＥの複数の無線通信回線との関連付けを行うためのプログラムコードが、前記ＵＥの単一の無線通信回線を使用して通信するために少なくとも２つのＳＩＭを関連付けるためのプログラムコードを含み、
前記関連付けに少なくとも部分的に基づいて前記ＵＥと通信するためのプログラムコードが、前記単一の無線通信回線上で前記少なくとも２つのＳＩＭの各々を使用して通信するためのプログラムコードを含む、請求項２５に記載のコンピュータプログラム製品。
【請求項２７】
前記関連付けに少なくとも部分的に基づいて前記ＵＥと通信するためのプログラムコードが、２つ以上のネットワークと同時に通信するためのプログラムコードを含む、請求項２５に記載のコンピュータプログラム製品。
【請求項２８】
前記プログラムコードが、仮想ＳＩＭ構成に従って前記複数のＳＩＭのうちの少なくとも１つを実装するためのプログラムコードをさらに含む、請求項２５に記載のコンピュータプログラム製品。
【請求項２９】
ＵＥの複数のＳＩＭと前記ＵＥの複数の無線通信回線との関連付けを行うためのプログラムコードが、通信メトリックを改善することに少なくとも部分的に基づいて、前記ＵＥの前記複数のＳＩＭと前記ＵＥの前記複数の無線通信回線との関連付けを行うためのプログラムコードを含む、請求項２５に記載のコンピュータプログラム製品。
【発明の詳細な説明】
【技術分野】
【０００１】
本出願は、2012年6月12日に出願された、WIETFELDTらの「CONNECTION MANAGEMENT FOR MULTI OPERATOR SELECTION」と題する米国仮特許出願第61/658,888号に対する利益を米国特許法第119条(e)に基づき主張するものである。引用により、上記米国仮特許出願の開示する全内容が本明細書に援用される。
【０００２】
本開示の態様は、一般に、ワイヤレス通信システムに関し、より詳細には、マルチオペレータ選択のための接続管理に関する。
【背景技術】
【０００３】
電話、ビデオ、データ、メッセージング、および放送などの様々な遠隔通信サービスを提供するために、ワイヤレス通信システムが広範囲に配備されている。通常のワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが挙げられる。
【０００４】
これらの多元接続技術は、異なるワイヤレスデバイスが自治体、国家、地域、さらには地球規模のレベルで通信することを可能にする共通プロトコルを提供するために、様々な電気通信規格において採用されている。台頭しつつある遠隔通信標準の例は、ロングタームエボリューション(LTE)である。LTEは、第3世代パートナーシッププロジェクト(3GPP)によって公布されたユニバーサルモバイルテレコミュニケーションズシステム(UMTS)モバイル標準に対する増強セットである。これは、スペクトル効率を改善することによってモバイルブロードバンドインターネットアクセスをより良くサポートすること、コストを下げること、サービスを改善すること、新しいスペクトルを利用すること、および、ダウンリンク(DL)上のOFDMA、アップリンク(UL)上のSC-FDMA、および多入力多出力(MIMO)アンテナ技術を使用して他のオープン標準とより良く統合すること、を行うように設計されている。しかしながら、モバイルブロードバンドアクセスに対する需要が増加し続けるのに伴い、LTE技術をさらに改善することが必要とされている。好ましくは、これらの改善は、他の多元接続技術、およびこれらの技術を利用する電気通信規格に適用可能であるべきである。
【発明の概要】
【課題を解決するための手段】
【０００５】
本開示の一態様によれば、ワイヤレス通信のための方法は、ユーザ機器(UE)の複数の加入者識別モジュール(SIM)とUEの複数の無線通信回線(radio)との関連付けを行うステップを含む。また、方法は、関連付けに少なくとも部分的に基づいてUEと通信するステップを含む。
【０００６】
本開示の別の態様によれば、ワイヤレス通信のための装置は、ユーザ機器(UE)の複数の加入者識別モジュール(SIM)とUEの複数の無線通信回線との関連付けを行うための手段を含む。また、装置は、関連付けに少なくとも部分的に基づいてUEと通信するための手段を含み得る。
【０００７】
本開示の一態様によれば、ワイヤレスネットワークにおけるワイヤレス通信のためのコンピュータプログラム製品は、プログラムコードが記録された非一時的コンピュータ可読記録媒体を含む。プログラムコードは、ユーザ機器(UE)の複数の加入者識別モジュール(SIM)とUEの複数の無線通信回線との関連付けを行うためのプログラムコードを含む。また、プログラムコードは、関連付けに少なくとも部分的に基づいてUEと通信するためのプログラムコードを含む。
【０００８】
本開示の一態様によれば、ワイヤレス通信のための装置は、メモリと、メモリに接続されたプロセッサとを含む。プロセッサは、ユーザ機器(UE)の複数の加入者識別モジュール(SIM)とUEの複数の無線通信回線との関連付けを行うように構成される。プロセッサは、関連付けに少なくとも部分的に基づいてUEと通信するようにさらに構成される。
【０００９】
本開示の追加の特徴および利点については後述する。本開示と同じ目的を実行するための他の構造を修正または設計するための基礎として、本開示が容易に利用され得ることを当業者は諒解されたい。そのような等価な構成は、添付の特許請求の範囲に記載される本開示の教示から逸脱しないことも当業者は認識されたい。本開示の特色をなすと考えられる新規な特徴は、その組成と動作方法との両方について、さらに他の目的および利点とともに、後続の記述を添付の図との関連で考慮したときにより良く理解されるであろう。しかしながら、図面の各々は、例示および説明のみを目的として提供され、本開示の範囲を規定するものとして意図されないことを明確に理解されたい。
【００１０】
本開示の特徴、性質、および利点は、下記の詳細な説明を図面と併せ読むことによってより明らかになる。図中、同様の参照符号は、全体を通じて同様の部分を表す。
【図面の簡単な説明】
【００１１】
【図１】ネットワークアーキテクチャの例を示す図である。
【図２】アクセスネットワークの例を示す図である。
【図３】LTEにおけるダウンリンクフレーム構造の例を示す図である。
【図４】LTEにおけるアップリンクフレーム構造の例を示す図である。
【図５】ユーザプレーンおよび制御プレーンの無線通信プロトコルアーキテクチャの例を示す図である。
【図６】アクセスネットワーク中の発展型NodeBおよびユーザ機器の例を示す図である。
【図７Ａ】本開示の態様による、接続エンジン実装形態に基づく例示的なネットワークオペレータ選択システムを示す図である。
【図７Ｂ】本開示の態様による、接続エンジン実装形態に基づく例示的なネットワークオペレータ選択システムを示す図である。
【図７Ｃ】本開示の態様による、接続エンジン実装形態に基づく例示的なネットワークオペレータ選択システムを示す図である。
【図７Ｄ】本開示の態様による、接続エンジン実装形態に基づく例示的なネットワークオペレータ選択システムを示す図である。
【図７Ｅ】本開示の態様による、接続エンジン実装形態に基づく例示的なネットワークオペレータ選択システムを示す図である。
【図７Ｆ】本開示の態様による、接続エンジン実装形態に基づく例示的なネットワークオペレータ選択システムを示す図である。
【図７Ｇ】本開示の態様による、接続エンジン実装形態に基づく例示的なネットワークオペレータ選択システムを示す図である。
【図７Ｈ】本開示の態様による、接続エンジン実装形態に基づく例示的なネットワークオペレータ選択システムを示す図である。
【図７Ｉ】本開示の態様による、接続エンジン実装形態に基づく例示的なネットワークオペレータ選択システムを示す図である。
【図８】1つまたは複数のモデム構成に基づいてネットワークオペレータ間で選択を行うためのシステムを示す図である。
【図９】接続エンジンに基づいてネットワークオペレータ間で選択を行うためのシステムを示す図である。
【図１０】本開示の一態様によるネットワークオペレータ選択実施態様を示す図である。
【図１１】本開示の一態様による動的ネットワークオペレータ選択方法を示すブロック図である。
【図１２】動的ネットワークオペレータ選択システムを使用する装置のためのハードウェア実装形態の例を示す図である。
【発明を実施するための形態】
【００１２】
添付の図面に関して下記に記載される詳細な説明は、様々な構成を説明することを意図しており、本明細書に記載される概念が実践され得る唯一の構成を表すことを意図していない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、既知の構造および構成要素がブロック図の形式で示されている。
【００１３】
遠隔通信システムの態様を、様々な装置および方法を参照して提示する。これらの装置および方法は、以下の発明を実施するための形態で説明され、様々なブロック、モジュール、構成要素、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装することができる。そのような要素をハードウェアとして実装するか、ソフトウェアとして実装するかは、特定の用途および全体的なシステムに課される設計制約に依存する。
【００１４】
例として、要素、要素の任意の部分、または複数の要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１５】
したがって、1つまたは複数の例示的な実施形態では、説明される機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROM、もしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる任意の他の媒体を含み得る。本明細書で使用する場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびBlu-ray(登録商標)ディスクを含み、通常、ディスク(disk)は、磁気的にデータを再生し、ディスク(disc)は、レーザーで光学的にデータを再生する。上記の組合せもコンピュータ可読媒体の範囲内に含めるべきである。
【００１６】
図1は、LTEネットワークアーキテクチャ100を例示する図である。LTEネットワークアーキテクチャ100は、発展型パケットシステム(EPS:Evolved Packet System)100と呼ばれることもある。EPS 100は、1つまたは複数のユーザ機器(UE)102、発展型UMTS地上無線アクセスネットワーク(E-UTRAN:Evolved UMTS Terrestrial Radio Access Network)104、発展型パケットコア(EPC:Evolved Packet Core)111、ホーム加入者サーバ(HSS)121、およびオペレータのIPサービス122を含んでよい。EPSは、他のアクセスネットワークと相互接続する可能性があるが、簡略化のために、それらのエンティティ/インターフェースは示していない。図示のように、EPSはパケット交換サービスを提供するが、当業者なら容易に諒解するように、本開示の全体を通して提示する様々な概念は、回路交換サービスを提供するネットワークに拡張することができる。
【００１７】
E-UTRANは、発展型NodeB(eNodeB:Evolved Node B)106および他のeNodeB 108を含む。eNodeB 106は、UE 102へのユーザプレーンおよび制御プレーンプロトコル終端を提供する。eNodeB 106は、X2インターフェース(たとえば、バックホール)を介して他のeNodeB 108に接続され得る。eNodeB 106は、基地局、ベーストランシーバステーション、無線基地局、無線トランシーバ、トランシーバ機能、基本サービスセット(BSS)、拡張サービスセット(ESS)と呼ばれるか、または他の何らかの適切な用語で呼ばれることもある。eNodeB 106は、EPC 111へのアクセスポイントをUE 102に提供する。UE 102の例としては、セルラーフォン、スマートフォン、セッション開始プロトコル(SIP)フォン、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスが挙げられる。また、UE 102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００１８】
eNodeB 106は、S1インターフェースによってEPC 111に接続される。EPC 111は、モビリティ管理エンティティ(MME)112、他のMME 114、サービングゲートウェイ116、およびパケットデータネットワーク(PDN)ゲートウェイ118を含む。MME 112は、UE 102とEPC 111との間のシグナリングを処理する制御ノードである。一般に、MME 112は、ベアラおよび接続管理を提供する。すべてのユーザIPパケットは、サービングゲートウェイ116を介して転送され、サービングゲートウェイ116自体は、PDNゲートウェイ118に接続される。PDNゲートウェイ118は、UE IPアドレス割振りならびに他の機能を提供する。PDNゲートウェイ118は、オペレータのIPサービス122に接続される。オペレータのIPサービス122は、インターネット、イントラネット、IPマルチメディアサブシステム(IMS)、およびPSストリーミングサービス(PSS)を含み得る。
【００１９】
図2は、LTEネットワークアーキテクチャにおけるアクセスネットワーク200の例を示す図である。この例では、アクセスネットワーク200は、いくつかのセルラー領域(セル)202に分割される。1つまたは複数の低電力クラスeNodeB 208が、セル202のうちの1つまたは複数と重なるセルラー領域210を有することができる。低電力クラスeNodeB 208はリモート無線ヘッド(RRH)と呼ぶことができる。低電力クラスeNodeB 208は、フェムトセル(たとえば、ホームeNodeB(HeNodeB))、ピコセル、またはマイクロセルとすることができる。マクロeNodeB 204は各々、それぞれのセル202に割り当てられ、セル202中のすべてのUE 206にEPC 111へのアクセスポイントを提供するように構成される。アクセスネットワーク200のこの例では集中型コントローラはないが、代替構成では集中型コントローラが使用されてもよい。eNodeB 204は、無線ベアラ制御、アドミッション制御、モビリティ制御、スケジューリング、セキュリティ、およびサービングゲートウェイ116への接続性を含めた、すべての無線通信関連機能を担う。
【００２０】
アクセスネットワーク200によって使用される変調方式および多元接続方式は、導入されている具体的な電気通信規格に応じて異なり得る。LTE適用例では、ダウンリンク上ではOFDMが使用され、アップリンク上ではSC-FDMAが使用されて、周波数分割複信(FDD)と時分割複信(TDD)との両方がサポートされる。後続の詳細な記述から当業者は容易に理解するであろうが、本明細書に提示する様々な概念は、LTE適用例によく適する。しかしながら、これらの概念は、他の変調および多元接続技術を利用する他の遠隔通信標準にも容易に拡張することができる。例として、これらの概念は、エボリューションデータオプティマイズド(EV-DO:Evolution-Data Optimized)またはウルトラモバイルブロードバンド(UMB)に拡張することができる。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。また、これらの概念は、ワイドバンドCDMA(W-CDMA)および他のCDMA異型(TD-SCDMAなど)を用いるユニバーサル地上無線アクセス(UTRA:Universal Terrestrial Radio Access)と、TDMAを用いるグローバルシステムフォーモバイルコミュニケーションズ(GSM(登録商標))と、OFDMAを用いる発展型UTRA(E-UTRA)、ウルトラモバイルブロードバンド(UMB)、IEEE802.11(Wi-Fi)、IEEE802.16(WiMAX)、IEEE802.20、およびOFDMAを用いるフラッシュOFDMと、にも拡張することができる。UTRA、E-UTRA、UMTS、LTE、およびGSMは、3GPP組織によって提供される文書に記載されている。CDMA2000およびUMBは、3GPP2組織によって提供される文書に記載されている。利用される実際のワイヤレス通信標準および多元接続技術は、具体的な適用例、およびシステムに課される全体的な設計制約に依存することになる。
【００２１】
eNodeB 204は、MIMO技術をサポートする複数のアンテナを有することができる。MIMO技術の使用により、eNodeB 204は、空間領域を利用して、空間多重化、ビームフォーミング、および送信ダイバーシティをサポートすることができる。空間多重化は、同じ周波数で同時に様々なデータストリームを送信するために使用され得る。データストリームは、データレートを上げるために単一のUE 206に送信されてよく、または全体的なシステム容量を拡大するために複数のUE 206に送信されてもよい。これは、各データストリームを空間的にプリコーディングし(すなわち、振幅および位相のスケーリングを適用し)、次いで、空間的にプリコーディングされた各ストリームをダウンリンク上で複数の送信アンテナを介して送信することによって、達成される。空間的にプリコーディングされたデータストリームは、種々の空間シグネチャとともにUE 206に到達し、これにより、各UE 206は、そのUE 206に向けられた1つまたは複数のデータストリームを回復することができる。アップリンク上では、各UE 206は、空間的にプリコーディングされたデータストリームを送信し、これにより、eNodeB 204は、空間的にプリコーディングされた各データストリームのソースを識別することができる。
【００２２】
空間多重化は、一般に、チャネル条件が良いときに使用される。チャネル条件が有利とは言い難いときは、ビームフォーミングを使用して、送信エネルギーを1つまたは複数の方向に集中させることができる。これは、複数のアンテナを介して送信するためにデータを空間的にプリコーディングすることによって達成することができる。セルのエッジで良好なカバレージを達成するために、単一ストリームのビームフォーミング送信を、送信ダイバーシティと組み合わせて使用することができる。
【００２３】
後続の詳細な説明では、ダウンリンク上でOFDMをサポートするMIMOシステムを参照して、アクセスネットワークの様々な態様について述べる。OFDMは、OFDMシンボル内でいくつかのサブキャリアにわたってデータを変調するスペクトル拡散技法である。サブキャリアは、正確な周波数で間隔があけられる。離間は、受信機がサブキャリアからのデータを回復することを可能にする「直交性」をもたらす。時間領域では、ガードインターバル(たとえばサイクリックプレフィックス)を各OFDMシンボルに加えて、OFDMシンボル間干渉の抑制に努めることができる。アップリンクは、SC-FDMAをDFT拡散OFDM信号の形で使用して、高いピーク対平均電力比(PAPR)を補償することができる。
【００２４】
図3は、LTEにおけるダウンリンクフレーム構造の例を示す図300である。フレーム(10ミリ秒)を、等しいサイズの10個のサブフレームに分割することができる。各サブフレームは、連続する2つのタイムスロットを含むことができる。リソースグリッドを使用して2つのタイムスロットを表すことができ、各タイムスロットはリソースブロックを含む。リソースグリッドは、複数のリソース要素に分割される。LTEでは、リソースブロックは、周波数領域における連続する12個のサブキャリアを含み、また、各OFDMシンボル中の通常のサイクリックプレフィックスの場合、時間領域における連続する7個のOFDMシンボルを含み、すなわち84個のリソース要素を含む。拡張サイクリックプレフィックスの場合、リソースブロックは、時間領域における連続する6個のOFDMシンボルを含み、72個のリソース要素を有する。R 302，304として示すいくつかのリソース要素は、ダウンリンク基準信号(DL-RS)を含む。DL-RSは、セル固有RS(CRS)(共通RSと呼ばれることもある)302およびUE固有RS(UE-RS)304を含む。UE-RS 304は、対応する物理ダウンリンク共有チャネル(PDSCH)のマッピング先であるリソースブロック上のみで送信される。各リソース要素によって搬送されるビットの数は、変調方式に依存する。したがって、UEが受信するリソースブロックが多いほど、かつ変調方式が高いほど、UEのデータレートは高くなる。
【００２５】
図4は、LTEにおけるアップリンクフレーム構造の例を示す図400である。アップリンクの場合の利用可能なリソースブロックは、データセクションと制御セクションとに区分化することができる。制御セクションは、システム帯域幅の2端において形成されてよく、構成可能なサイズを有することができる。制御セクション中のリソースブロックは、制御情報を送信するためにUEに割り当てられ得る。データセクションは、制御セクション中に含まれないすべてのリソースブロックを含み得る。このアップリンクフレーム構造により、データセクションは連続的なサブキャリアを含むことになり、これにより、単一のUEに、データセクション中の連続的なサブキャリアのすべてを割り当てることができる。
【００２６】
UEには、制御情報をeNodeBに送信するために、制御セクション中のリソースブロック410a，410bを割り当てることができる。また、UEには、データをeNodeBに送信するために、データセクション中のリソースブロック420a，420bを割り当てることができる。UEは、制御セクション中の割り当てられたリソースブロック上の物理アップリンク制御チャネル(PUCCH)中で、制御情報を送信することができる。UEは、データセクション中の割り当てられたリソースブロック上の物理アップリンク共有チャネル(PUSCH)中で、データのみ、またはデータと制御情報との両方を送信することができる。アップリンク送信は、サブフレームの両方のスロットにまたがることができ、周波数にわたってホップすることができる。
【００２７】
1組のリソースブロックを使用して、初期システムアクセスを実施し、物理ランダムアクセスチャネル(PRACH)430中でアップリンク同期を達成することができる。PRACH 430は、ランダムシーケンスを搬送し、いかなるアップリンクデータ/シグナリングも搬送できない。各ランダムアクセスプリアンブルは、連続する6つのリソースブロックに対応する帯域幅を占める。開始周波数は、ネットワークによって指定される。すなわち、ランダムアクセスプリアンブルの送信は、いくつかの時間リソースおよび周波数リソースに制限される。PRACHでは、周波数ホッピングはない。PRACH試行は、単一のサブフレーム(1ms)中で、または少数の連続的なサブフレームのシーケンス中で搬送され、UEは、フレーム(10ms)ごとに単一のPRACH試行しか行うことができない。
【００２８】
図5は、LTEにおけるユーザプレーンおよび制御プレーンの無線通信プロトコルアーキテクチャの例を示す図500である。UEおよびNode Bの無線通信プロトコルアーキテクチャは、レイヤ1、レイヤ2、およびレイヤ3という3つのレイヤで示される。レイヤ1(L1レイヤ)は、最下レイヤであり、様々な物理レイヤ信号処理機能を実現する。L1レイヤを、本明細書では物理レイヤ506と呼ぶ。レイヤ2(L2レイヤ)508は、物理レイヤ506の上にあり、物理レイヤ506を介したUEとeNodeBとの間のリンクを担う。
【００２９】
ユーザプレーンでは、L2レイヤ508は、媒体アクセス制御(MAC)サブレイヤ510、無線リンク制御(RLC)サブレイヤ512、およびパケットデータ収束プロトコル(PDCP)514サブレイヤを含み、これらは、ネットワーク側でeNodeBにおいて終端する。図示されていないが、UEは、L2レイヤ508の上にいくつかの上位レイヤを有することができ、これらは、ネットワーク側でPDNゲートウェイ118において終端するネットワークレイヤ(たとえばIPレイヤ)と、接続の他方の端(たとえば遠端UE、サーバなど)で終端するアプリケーションレイヤとを含む。
【００３０】
PDCPサブレイヤ514は、異なる無線ベアラと論理チャネルとの間の多重化を行う。また、PDCPサブレイヤ514は、無線送信オーバヘッドを低減するための上位レイヤデータパケットのヘッダ圧縮と、データパケットを暗号化することによるセキュリティと、eNodeB間におけるUEに対するハンドオーバサポートとを提供する。RLCサブレイヤ512は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ510は、論理チャネルとトランスポートチャネルとの間の多重化を行う。また、MACサブレイヤ510は、1つのセルの中の様々な無線リソース(たとえばリソースブロック)の複数のUEへの割当てを担う。また、MACサブレイヤ510は、HARQ動作も担う。
【００３１】
制御プレーンでは、UEおよびeNodeBに関する無線通信プロトコルアーキテクチャは、物理レイヤ506およびL2レイヤ508についてはほぼ同じだが、例外として、制御プレーンにはヘッダ圧縮機能がない。また、制御プレーンは、レイヤ3(L3レイヤ)中に無線リソース制御(RRC)サブレイヤ516を含む。RRCサブレイヤ516は、無線リソース(すなわち無線ベアラ)を得ること、および、eNodeBとUEとの間でRRCシグナリングを使用して下位レイヤを構成することを担う。
【００３２】
図6は、基地局/eNodeB 106およびUE 102の設計のブロック図を示し、これらは、図1または図2の基地局/eNodeBのうちの1つおよび図1または図2のUEのうちの1つであってよい。たとえば、基地局106は、図2のマクロeNodeB 204であってよく、UE 102はUE 206であってよい。また、基地局106は、何らかの他の種類の基地局であってもよい。基地局106は、アンテナ634a〜634tを備えてもよく、UE 102は、アンテナ652a〜652rを備えてもよい。
【００３３】
基地局106において、送信プロセッサ620は、データソース612からデータを受信し、コントローラ/プロセッサ640から制御情報を受信することができる。制御情報は、PBCH、PCFICH、PHICH、PDCCHなどのためのものであり得る。データは、PDSCHなどのためのものであり得る。プロセッサ620は、データと制御情報とを処理(たとえば、符号化およびシンボルマッピング)して、それぞれデータシンボルと制御シンボルとを取得し得る。また、プロセッサ620は、たとえば、PSS、SSS、およびセル固有参照信号のための参照シンボルを生成し得る。送信(TX)多入力多出力(MIMO)プロセッサ630は、適用可能な場合、データシンボル、制御シンボル、および/または参照シンボルに対して空間処理(たとえば、プリコーディング)を実行し得、出力シンボルストリームを変調器(MOD)632a〜632tに提供し得る。各変調器632は、(たとえば、OFDMなどの)それぞれの出力シンボルストリームを処理して出力サンプルストリームを取得し得る。各変調器632はさらに、ダウンリンク信号を取得するために、出力サンプルストリームを処理(たとえば、アナログへの変換、増幅、フィルタ処理、およびアップコンバート)をすることができる。変調器632a〜632tからのダウンリンク信号は、それぞれアンテナ634a〜634tを介して送信され得る。
【００３４】
UE 102において、アンテナ652a〜652rは、基地局106からダウンリンク信号を受信することができ、それぞれ、受信された信号を復調器(DEMOD)654a〜654rに提供することができる。各復調器654は、それぞれの受信信号を調整(たとえば、フィルタ処理、増幅、ダウンコンバート、およびデジタル化)して入力サンプルを取得し得る。各復調器654はさらに、(たとえば、OFDMなどの)入力サンプルを処理して受信シンボルを取得し得る。MIMO検出器656は、すべての復調器654a〜654rから、受信されたシンボルを得て、可能な場合には受信されたシンボルに対してMIMO検出を実行し、検出されたシンボルを提供することができる。受信プロセッサ658は、検出されたシンボルを処理(たとえば、復調、デインターリーブ、および復号)し、UE 102のための復号されたデータをデータシンク660に提供し、かつ復号された制御情報をコントローラ/プロセッサ680に提供することができる。
【００３５】
アップリンクでは、UE 102において、送信プロセッサ664が、データソース662からのデータ(たとえば、PUSCHのための)を受信して処理し、コントローラ/プロセッサ680からの制御情報(たとえば、PUCCHのための)を受信して処理することができる。また、プロセッサ664は、参照信号のための参照シンボルを生成することもできる。送信プロセッサ664からのシンボルは、TX MIMOプロセッサ666によりプリコーディングされ、可能な場合には、(たとえばSC-FDMなどのために)変調器654a〜654rによりさらに処理され、基地局106に送信され得る。基地局106において、UE 102からのアップリンク信号は、アンテナ634により受信され、復調器632により処理され、可能な場合にはMIMO検出器636により検出され、受信プロセッサ638によりさらに処理されて、UE 102により送られた、復号されたデータおよび制御情報を得ることができる。プロセッサ638は、復号されたデータをデータシンク639に提供し、復号された制御情報をコントローラ/プロセッサ640に提供することができる。基地局106は、たとえば、X2インターフェース641を介して、他の基地局にメッセージを送ることができる。
【００３６】
コントローラ/プロセッサ640，680は、それぞれ基地局106およびUE 102における動作を指示することができる。基地局106/UE 102におけるプロセッサ640/680ならびに/または他のプロセッサおよびモジュールは、図9に示す機能ブロックの実行、および/または本明細書で説明する技法のための他のプロセスを実施または指示し得る。メモリ642およびメモリ682は、それぞれ、基地局106およびUE 102のためのデータおよびプログラムコードを記憶することができる。スケジューラ644は、ダウンリンクおよび/またはアップリンクでのデータ送信について、UEをスケジューリングすることができる。
【００３７】
LTE-Advanced UEは、各方向の送信に用いられる最大で全体が100MHz(5個のコンポーネントキャリア)のキャリアアグリゲーションで割り当てられる、最大で20MHzの帯域幅の中の帯域を用いる。一般に、アップリンクではダウンリンクよりも送信されるトラフィックが少ないので、アップリンクの帯域の割当ては、ダウンリンクの割当てよりも少なくてよい。たとえば、20MHzがアップリンクに割り当てられる場合、ダウンリンクは100MHzを割り当てられ得る。これらの非対称的なFDDの割当ては、帯域を節約し、ブロードバンド加入者による通常は非対称な帯域幅の利用に適している。
【００３８】
マルチオペレータ選択のための接続管理
加入者識別モジュール(SIM)または汎用加入者識別モジュール(USIM)は、モバイル通信デバイスと関連付けられた一意の識別子である。これらのSIMは、一般に、電話番号と関連付けられる。従来のモバイルデバイスまたはUEは、シングルSIMを有する。しかしながら、そのような従来のシングルSIMモバイルデバイスは、ネットワークカバレージ(たとえば、基地局が十分にないことによる、ある領域内の不十分なオペレータカバレージ)、ネットワーク輻輳(たとえば、多すぎるユーザ)、ネットワーク干渉(たとえば、共存、ここで、無線通信回線の同時動作がデバイス内干渉をもたらすことがある場合にデバイスの1つの無線通信回線(Wi-Fiなど)がそのデバイスの別の無線通信回線と共存するように構成され得る)を含む、所与のロケーションおよび時間におけるネットワーク問題が生じることがある。また、従来のシングルSIMモバイルデバイスは、高いデータ料金、ローミング料金などによるコスト問題によって、業務と個人との使用料金を分離する要望が存在する場合の統合課金の不利点などによって、制限されることもある。さらに、シングルSIMを有するデバイスは、特定のロケーションおよび時間における異なるオペレータの選択において制限されることがある。
【００３９】
様々なモバイル通信システムの開発および展開に伴って、マルチSIM識別/カードに対応するように設計されたマルチSIMモバイルデバイスが開発された。マルチSIMモバイルデバイスの一例は、デュアルSIM UEである。デュアルSIM UEは、2つのモバイルデバイスを携帯することまたはSIMカードを交互に交換することを必要とすることなく、2つのSIMカードを装着することによって2つのサービスまたはオペレータの使用を可能にする。しかしながら、ユーザは、たとえば着呼の情報を受信するとき、または、たとえば発呼の情報を送信するとき、どちらのSIMカードが使用されるかがわからないことがある。したがって、オペレータ/ネットワークのアクセス、コスト、品質などを改善し得る、オペレータ/ネットワーク選択のためのシステムを実装することが要望されている。また、UEは、仮想SIM(VSIM)構成を実装するように構成され得る。VSIM構成では、UEは、物理SIMカードなしにネットワークへのサブスクリプションを提供する信頼できるまたは確実な要素を使用する。また、VSIM構成は、サブスクリプションの遠隔管理をサポートし得る。VSIM構成は、物理SIMを特定せず、ソフトウェアおよび/または専用ハードウェアで動的プロビジョニングを実行し得る。デュアルSIM UEは、デュアルSIM-デュアルスタンバイ(DSDS)であり得、それは、UEが一度に1つのネットワークに接続するように制限されることを意味する。代替的に、UEは、デュアルSIM-デュアルアクティブ(DSDA)であり得、それは、UEが同時に複数のネットワークに接続し得ることを意味する。DSDA構成が存在すると、ネットワークマッピングに対するアプリケーションが並行して遂行され得る。また、UEは、たとえばトリプルSIM-トリプルアクティブ(TSTA)など、3つ以上のSIMが同時にアクティブである、3つ以上のSIMを用いて構成され得る。本開示の教示は、マルチSIMおよび対応する活動の様々な構成に当てはまる。
【００４０】
本開示の一態様は、モバイルデバイス内で1つまたは複数のSIM(または仮想SIM)を介して1つまたは複数のネットワークオペレータに柔軟にまたは動的にアクセスすることを可能にする。各SIMは、単一のネットワークオペレータへの認証/アクセスを提供し、マルチSIMは、それゆえ、複数のネットワークオペレータアクセスを可能にする。認証は、1つまたは複数の物理SIMおよび/または仮想SIMに基づくことができる。1つまたは複数の認証されたネットワークオペレータ、たとえばワイヤレス/モバイルネットワークオペレータまたは通信事業者およびそれらのRATは、動的に選択され得る。たとえば、ネットワークオペレータは、1つまたは複数のRATと併せて特定または選択され得る。この特徴は、所与のネットワークオペレータに対して1つまたは複数のRATの粒度の細かい選択を可能にする。
【００４１】
本開示の一態様では、ネットワークオペレータの選択は、ネットワークおよび/またはUEのポリシーおよび条件に基づくことができる。ポリシーは、いくつかの態様ではオペレータとは無関係であり得るUE内に記憶されたポリシーファイルに基づくことができる。一態様では、ポリシーファイルは、オーバージエア(OTA)実装に従ってまたは有線接続を介してUEによって受信および/または更新され得る。また、ポリシーファイルは、ローカルに更新され得る。ポリシーは、本開示で説明する様々なファクタに基づいてSIM選択に対する構成を示し得る。
【００４２】
本開示のいくつかの態様では、オペレータおよび/またはRATの動的選択は、デバイス内無線周波数共存、特にUEが稠密なエリアにおけるUE間干渉、(たとえば、節電または電力消費に対して異なるネットワークオペレータを選択することに関連する)電源、およびスループット、効率などに関連する他のパラメータなどの条件に基づく。これらの条件は、一般に、デバイス(UEなど)条件と呼ばれる。デバイス内無線周波数共存に関して、LTE通信は、WLAN通信と干渉することがある。たとえば、ネットワークオペレータは、デバイス内共存問題に気付かず、UEが、UE内の異なるRAT間の干渉に遭遇している可能性があるにもかかわらず、特定の周波数で通信することを継続することがある。他の環境では、ネットワークは、単一のUEに対して通信の周波数を変更することに躊躇することがある。この状況では、UEまたはUEの接続エンジンは、UEの共存条件に基づいて異なるネットワークオペレータおよび/またはRATを動的に選択し得る。同様に、UEは、UE間の干渉に基づいてネットワークオペレータおよび/またはRATを動的に選択し得る。
【００４３】
さらに、UEは、電源を節約するためにネットワークオペレータおよび/またはRATを動的に選択し得る。たとえば、UEは、ネットワークオペレータと関連付けられた、対応する基地局の近接性に基づいてネットワークオペレータを動的に選択し得る。UEは、送信電力を低減するために、UEに最も近い基地局を優先し得る。したがって、UEは、たとえ所与のネットワークオペレータに対して基地局間で選択を行うための特性を持たないとしても、UEは、異なるネットワークオペレータと関連付けられた異なる基地局と通信することがUEの電源を改善し得るかどうかを、(信号強度などの測定パラメータに基づいて)検知し得る。検知することに基づいて、UEは、UEの電源を改善するために異なるネットワークオペレータを動的に選択し得る。選択は、測定パラメータが閾値を満足するかどうかに基づくことができる。
【００４４】
さらに、UEは、RAT固有の電力消費に基づいて電源を節約するためにネットワークオペレータおよび/またはRATを動的に選択し得る。RAT固有の電力消費は、異なるSIMが、異なる電力消費がプロファイルする異なるRATに対応するときに適用可能である。たとえば、オペレータ1によって動作される4G LTE RATは、オペレータ2によって動作される3G EV-DO RATよりも高い電力消費を有することがある。それゆえ、オペレータの選択は、より電力効率の良いRATを提供し得るオペレータに基づいてなされ得る。
【００４５】
いくつかの態様では、動的ネットワークオペレータ選択は、エンドツーエンドサービス品質、ローカル干渉、ローカルリンク輻輳、インターネット接続性、および他のネットワーク関連条件など、ネットワーク条件に基づく。ネットワークは、1つまたは複数の基地局、オペレータまたは通信事業者のコア、および/またはインターネットへのワイヤレスネットワークであり得る。ネットワークに関連するサービスパラメータの品質は、エンドツーエンドサービス品質(たとえば、UEからウェブサイトをサポートするサーバまでのサービス品質)を指す。あるネットワークオペレータのエンドツーエンドサービス品質は、異なるネットワークオペレータのエンドツーエンドサービス品質に対して評価され、その評価に基づいて、ネットワークオペレータおよび/またはRATのうちの1つが選択される。この場合の動的選択は、UEまたはネットワークに関連するポリシーがそのような選択を可能にするかどうかに基づくことができる。他のネットワーク条件は、ローカルな干渉および輻輳である。この場合、1つのネットワークオペレータが、ローカルな干渉および輻輳に関して、異なるネットワークオペレータよりも良好なネットワークを提供するならば、UEは、そのより良好なネットワークオペレータを動的に選択し得る。
【００４６】
そのような動的ネットワークオペレータ選択(アクセス冗長性とも呼ばれる)は、ユーザが、ネットワーク使用コストを管理することを可能にして、オペレータサービスの競争性を助長する。また、動的ネットワークオペレータ選択は、特に、ボイスオーバーインターネットプロトコル(VoIP)、インターネットプロトコルテレビジョン(IPTV)、ゲーミングなど、拡張型ネットワークリソース集約型アプリケーションに関して、帯域幅およびサービス品質を改善し得る。動的ネットワークオペレータ選択は、ネットワークカバレージを改善し、かつネットワーク輻輳およびネットワーク干渉を低減し得るユーザアクセス冗長性実施態様を可能にする。詳細には、動的ネットワークオペレータ選択実施態様は、オペレータ選択を介して、ネットワークフェージング/干渉環境を改善し、時刻、ロケーション、ローミングオプションなどを適用することによってネットワーク輻輳を回避する。動的ネットワークオペレータ選択の他の利点には、異なるオペレータネットワークのための有線バックホールネットワークに対するWi-Fiオフロード効率と、利用可能なネットワークオペレータの中で最も近い基地局を選択することによる低減された電力消費とが含まれる。
【００４７】
本開示の一態様では、起動されたアプリケーションは、1つまたは複数の無線アクセス技術(RAT)/ネットワークオペレータにマッピングされ得る。ワイヤレス通信デバイスまたはUEは、通信を異なるワイヤレスネットワークを用いてサポートするためにいくつかのRATを含み得る。たとえば、無線通信技術には、広域ネットワーク(たとえば、第3世代パートナーシッププロジェクト(3GPP)ロングタームエボリューション(LTE)または1x無線伝送技術(1X))、ワイヤレスローカルエリアネットワーク(WLAN)、Bluetooth(登録商標)などが含まれ得る。マルチSIM実装形態は、単一のアプリケーションを起動するために、複数のオペレータおよびRATにマッピングすることを可能にする。アプリケーションは、音声アプリケーション、データアプリケーション、またはそれら両方であってよい。DSDA実装形態は、接続エンジンが、第1のアプリケーションを第1のオペレータにルーティングし、第2のアプリケーションを第2のネットワークオペレータにルーティングし得る場合に、同時ネットワークアクセスを提供する。
【００４８】
本開示の一態様では、マルチオペレータ選択のための接続管理を説明する。マルチオペレータ選択のための接続を管理するために、接続エンジンまたは接続マネージャは、UE要件(たとえば、アプリケーション要件、デバイス状態など)を満足するネットワークオペレータに対する最良のまたは改善されたRAT接続を識別する。接続エンジンは、仮想SIMまたはマルチSIM/オペレータサブスクリプションによって可能となったオペレータ多様性を活用する。オペレータを動的に選択する能力は、コスト、帯域幅、サービス品質、ネットワークカバレージ、ネットワーク輻輳、ネットワーク干渉、Wi-Fiオフロード効率、デバイス電力消費などの特性に関して、ユーザエクスペリエンスの改善を可能にする。
【００４９】
これらの特性のうちの1つまたは複数によって駆動されるオペレータ選択は、接続エンジン内、または接続マネージャなどの他の実施態様内で実施され得る。接続エンジンは、ネットワークオペレータ選択を案内するためのプロファイルを含み得る。
【００５０】
図7A〜図7Iは、本開示のいくつかの態様による、接続エンジン実装形態に基づくネットワークオペレータ選択システムを示す。各ネットワークオペレータ選択システム700は、第1のSIM 702、第2のSIM 704、スイッチングデバイス706、および接続エンジン708を有するRATデバイス718を含むUE(たとえば、UE 102)を組み込む。また、ネットワークオペレータ選択システム700は、第1のネットワークオペレータ714と関連付けられた第1のeNodeB、第2のネットワークオペレータ716と関連付けられた第2のeNodeB、アクティブリンク710、および非アクティブリンク712を含む。第1のSIM 702および第2のSIM 704は、接続エンジン実装形態に従って、第1のSIM 702と第2のSIM 704との間を切り替えるためにスイッチングデバイス706(たとえば、スイッチ)に接続される。
【００５１】
接続エンジン708は、デュアルSIMデュアルスタンバイ(DSDS)またはデュアルSIMデュアルアクティブ(DSDA)のUE実装のために構成され得る。接続エンジン実装形態と連携するDSDAおよびDSDS実装形態は、UE内で2つの同時ネットワークオペレータを可能にする。DSDS実装形態は、1つのRATデバイス(たとえば、トランシーバ)だけを使用して2つのアクティブSIMを同時に有する能力を提供する。DSDS実装形態では、UEは、特定のネットワークに対する特定のアプリケーションが可能にされない場合、1つのネットワークアクセスにおける単一のアクティブトランシーバに制限されることがある。たとえば、接続エンジン708は、第1のアプリケーションを第1のネットワークオペレータ714にルーティングし、第2のアプリケーションを同じネットワークオペレータにルーティングすることができる。すでに言及したように、DSDA実装形態では、接続エンジンは、第1のアプリケーションを第1のネットワークオペレータ714にルーティングし、第2のアプリケーションを第2のネットワークオペレータ716に同時にルーティングするように構成され得る。本開示の一態様では、接続エンジン708は、アプリケーションをオペレータと関連付け得る(たとえば、第1のネットワークオペレータナビゲータは第1のネットワークオペレータにおいてのみ利用可能である)が、オペレータに無関係の共通アプリケーション(たとえば、ブラウザ)もサポートする。
【００５２】
図7Aの例では、第1のeNodeB 720は、第2世代(2G)および第3世代(3G)広域ネットワークのために構成され、一方、eNodeB 722は、第2世代(2G)広域ネットワークのために構成される。この例示的な実装形態では、接続エンジン708は、最高の帯域幅またはサービス品質を有するネットワークオペレータ、すなわち第3世代の広域ネットワークのために構成されたeNodeB 720と関連付けられた第1のネットワークオペレータ714を選択するように構成される。選択の結果として、UE 102は、アクティブリンク710を介して第1のネットワークオペレータ714と通信する。最高の帯域幅は、いくつかのアプリケーションの動作仕様を満足するための最高のエンドツーエンド帯域幅であってよい。
【００５３】
図7Bの例では、eNodeB 720は、第2世代および第3世代広域ネットワークのために構成され、一方、eNodeB 724は、第4世代(4G)広域ネットワークのために構成される。この実装形態では、接続エンジン708は、ボイスオーバーインターネットプロトコル、インターネットプロトコルテレビジョン、ビデオゲームなどのアプリケーションに対する要求を満足するために、最高のスループットRATを有するネットワークオペレータを選択するように構成される。この場合、第4世代広域ネットワークのために構成されたeNodeB 724と関連付けられた第2のネットワークオペレータ716が、最高のスループットを提供するので、選択される。選択の結果として、UE 102は、アクティブリンク710を介して第2のネットワークオペレータ716と通信する。
【００５４】
図7Cの例では、eNodeB 726は、低コストの第3世代広域ネットワークと関連付けられ、一方、eNodeB 728は、高コストの第2世代広域ネットワークと関連付けられる。この実装形態では、接続エンジン708は、最低のコスト(たとえば、最低のプランまたはデータローミングサービス)を有するネットワークオペレータを選択するように構成される。この場合、eNodeB 726と関連付けられた第1のネットワークオペレータ714は、最低のコストを提供し、それゆえ選択される。選択の結果として、UE 102は、アクティブリンク710を介して第1のネットワークオペレータ714と通信する。たとえば、より良好な原価率を有するネットワークオペレータは、他のネットワークオペレータに優先して動的に選択され得る。ネットワークオペレータの原価率は、あらかじめ判断され、その後、時間期間にわたって、または接続のたびに一度、またはコストを追跡する何らかのエンティティに基づいて、動的に更新され得る。オペレータの価格設定情報は、関連ネットワーク/クラウドサービスを介して利用可能であり得る。
【００５５】
図7Dの例では、eNodeB 720は、eNodeB 722よりも、接続エンジン708と関連付けられたUE 102から遠い。この実装形態では、接続エンジン708は、送信電力を節約するため、バッテリー消耗を低減するため、または起こり得るフェージング/干渉条件を回避するために、UE 102に最も近いネットワークオペレータを選択するように構成される。この場合、最も近いeNodeB 722と関連付けられる第2のネットワークオペレータ716が選択される。選択の結果として、UE 102は、アクティブリンク710を介して第2のネットワークオペレータと通信する。
【００５６】
図7Eは、本開示のいくつかの態様による、接続エンジン実装形態に基づく異なるアプリケーションに対するネットワークオペレータ選択を示す。たとえば、接続エンジン708は、第1のアプリケーションAPP 1を第1のネットワークオペレータ714にルーティングし、第2のアプリケーションAPP 2を第2のネットワークオペレータ716にルーティングすることができる。各アプリケーションに対するネットワークオペレータの選択は、オペレータ/RATマッピングポリシーに対するアプリケーションに基づくことができる。オペレータ/RATマッピングポリシーは、所与のオペレータに対する1つまたは複数のRATを選択するように実施され得る。マッピングは、アプリケーションに特有であり、ポリシーに基づくことができる。たとえば、第1のネットワークオペレータが、ブラウザを起動するために選択され、一方、異なるネットワークオペレータが、テキストメッセージのために選択され得る。ネットワークオペレータの選択は、ルックアップテーブルか、またはアプリケーションをネットワークオペレータと関連付ける他の何らかの動的実施態様に基づくことができる。ルックアップテーブルは、ポリシーファイルに記憶されるかまたはポリシーファイルと連携して実施され、静的または動的に実施され得る。
【００５７】
図7Fは、UEの時刻およびロケーションに基づくネットワークオペレータ選択を示す。たとえば、接続エンジン708は、輻輳および干渉を回避するために、UEの時刻および/またはロケーションに基づいて第1のネットワークオペレータ714を選択し得る。時刻は、オフピーク時刻ならびにピーク時刻に基づく選択であり得る。ロケーションに基づく選択の一例は、UEがユーザの事務所、モール、または家の中にあるかどうかに基づく選択である。いくつかの態様では、選択は、オペレータ駆動のWi-Fi選択またはオペレータ駆動のフェムト選択など、オペレータ駆動であり得る。
【００５８】
図7Gは、デバイス間干渉および/またはデバイス内無線周波数共存に基づくネットワークオペレータ選択を示す。この状況では、UEまたはUEの接続エンジンは、UEの共存条件に基づいて異なるネットワークオペレータおよび/またはRATを動的に選択し得る。同様に、UEは、UE間の干渉に基づいてネットワークオペレータおよび/またはRATを動的に選択し得る。たとえば、RAT 718と2.4GHz WLANアクセスポイントとの間の通信は、UEと、2.4GHz LTEの周波数で動作している第2のネットワークオペレータ716との間の通信による干渉にさらされることがある。したがって、通信のために2.4GHz LTEで動作しているオペレータ716を選択することは、遅いデータレートと低下したユーザエクスペリエンスとをもたらすことがある。この状況では、接続エンジン708は、共存問題を回避するために低周波数帯域(700MHz)を選択し得る。
【００５９】
図7Hは、VSIMに基づくネットワークオペレータ選択および/または認証を示す。示したように、VSIMは、物理SIMを特定せず、ソフトウェアおよび/または専用ハードウェアで動的プロビジョニングを実行し得る。VSIMまたはVSIMの機能は、ソフトウェアおよび/または専用ハードウェアで動的プロビジョニングを実行するように構成され得る。動的プロビジョニングは、動的および柔軟なサブスクリプションプロビジョニングを含む。VSIMまたはVSIMの機能が、改善された生体加入者認証を構成する。
【００６０】
図7Iは、マルチオペレータ動的マルチポリシープロビジョニングと関連付けられたネットワークオペレータ選択を示す。たとえば、オペレータ選択は、オペレータごとの1つまたは複数のポリシーと、総合的UE挙動を管理する1つまたは複数の総合的ユーザポリシーとに基づくことができる。このシナリオでは、マルチオペレータは、UEをプロビジョニングするために、ポリシーファイルを同じUEに送信し得る。ポリシーファイルは、プロビジョニングステップの間にオーバージエアでUEに送信され得、かつ/またはUEは、ローカルにプロビジョニングされ得る。
【００６１】
各オペレータが、それ自体のアクセスネットワーク発見および選択機能(ANDSF)ポリシーファイルを有し得るか、または複数のオペレータが、共通ANDSFポリシーファイルに挿入され得るが、接続エンジンは、共通のユーザポリシーを管理し得る。共通ユーザポリシーの管理は、たとえば電力管理、カバレージ/ロケーションおよび時刻管理、コスト管理などのユーザ要件を満足するために、(すべてのオペレータと無関係なまたはすべてのオペレータの知識を有する)接続エンジンによって達成され得る。
【００６２】
マルチSIM UE内の接続を管理するために、UEは、公衆ワイヤレスネットワークアクセスおよびオペレータ管理ワイヤレスネットワークアクセスに関連する選択を容易にするために接続エンジンを含み得る。マルチSIMデバイスを管理するために、UE 102は、複数のモデムまたはモデムポートを共有するように構成され得る。モデムは、2つ以上の独立したモデムを含むプラットフォーム上に実装され得る。各モデムは、複数の無線アクセス技術(RAT)デバイスおよびマルチSIMと関連付けられ得る。その結果、マルチSIMは、同じモデムを共有しながら切り替えられ得る。
【００６３】
接続エンジンは、ローミング料金および長距離電話料金を低減するために、UEが、たとえばA市に対してSIM1を使用し、B市に対してSIM2を使用することを可能にする。また、接続エンジンは、UEが、いくつかのビジネスアプリケーションを有するオペレータAに対してSIM1を使用し、個人使用においてオペレータBに対してSIM2を使用することを可能にする。加えて、接続エンジンは、UEが、完全な電話特性に対してSIM1を使用し、一方、SIM2をデータサービスに限定することを可能にする。さらに、共存マネージャと連携する接続エンジンは、より少ない干渉を有するオペレータチャネルを選択することによって、共存干渉または他の干渉を低減し得る。さらに、接続エンジンは、緊急呼要求論理を実施するための中央ロケーションとして役立ち得る。論理は、接続エンジンに関連する実施態様に従って構成可能である。
【００６４】
図8は、1つまたは複数のモデム構成に基づいてネットワークオペレータ間で選択を行うためのシステム800を示す。ネットワークオペレータ間で選択を行うためのシステム800は、UE 102内に実装され得る。システム800は、第1および第2のRATデバイス(たとえば、トランシーバまたはシングルチップデバイス)810，812、無線フロントエンドデバイス808、第1のSIM 816、第2のSIM 818、第3のSIM 822、第4のSIM 824、第1のスイッチ814、および第2のスイッチ820を含む。無線フロントエンドデバイス808は、アンテナ802、アンテナ804、およびアンテナ806を介して受信された無線通信信号ならびにアンテナ802、アンテナ804、およびアンテナ806を介して送信されるべき処理信号を処理する。本開示の一態様では、RATデバイス810およびRATデバイス812の各々は、内臓モデム(すなわち、第1のモデム826および第2のモデム828)を含む。モデム826およびモデム828は、それらそれぞれのRATデバイス810およびRATデバイス812と一体であるが、RATデバイス810およびRATデバイス812の各々は、マルチSIMの選択に基づいてネットワークオペレータの動的選択を容易にするために、第1のモデム826と第2のモデム828との両方に接続され得る。本開示の一態様では、第1のモデム826および第2のモデム828は、RATデバイス810またはRATデバイス812の各々と無関係であるがそれに接続されたモデムポート上に実装され得る。本開示の一態様では、第2のRATデバイス812は、モデムデバイス(たとえば、移動局モデム)であり得る。第1のRATデバイス810と第2のRATデバイス812との組合せは、チップセット構成に従って実装され得る。
【００６５】
動作時、第1のRATデバイス810と関連付けられた接続エンジン830または第2のRATデバイス812と関連付けられた接続エンジン832は、システム内のモデム826およびモデム828をユーザエクスペリエンスを改善するように連携させるように構成することによって、ネットワークオペレータ間で選択を行うように構成され得る。いくつかの実装形態では、接続エンジン830および接続エンジン832は、RATデバイス810および/またはRATデバイス812内で連携させられてよく、あるいは、単一のRAT 810もしくはRAT 812、またはRAT 810とRAT 812との両方に、無関係であるがそれらに接続されてもよい。この実装形態は、複数のSIM 816、SIM 818、SIM 822、および/またはSIM824の選択に基づくネットワークオペレータの動的選択を可能にする。動的選択は、シングルモデム(たとえば、モデム828)実装形態および/またはマルチモデム(たとえば、モデム826およびモデム828)実装形態によって達成され得る。本開示のいくつかの態様では、シングルモデム実装形態は、デュアルモデム実施態様と無関係であり得る。それゆえ、UEは、シングルモデム実装形態、デュアルモデム実装形態、またはそれら両方に対して構成され得る。シングルモデム(たとえば、移動局モデム)実装形態では、第2のモデム828は、第1のSIM 816および第2のSIM 818に接続された第1のスイッチ814に接続され得る。スイッチ814は、シングルモデム828に従って第1のSIM 816および第2のSIM 818と関連付けられたネットワークオペレータの選択を可能にする。マルチモデム(たとえば、2つのモデム)実装形態では、第1のモデム826および第2のモデム828は、第3のSIM 822および第4のSIM 824に接続された第2のスイッチ820に接続され得る。スイッチ820は、第1のモデム826と第2のモデム828との両方に対して、第3および第4のSIMと関連付けられたネットワークオペレータの選択を可能にする。
【００６６】
マルチSIMと連携するモデム構成を有する接続エンジンの実装形態は、ネットワークオペレータおよびRAT選択の選択範囲を広げて性能を改善するために、複数の無線アクセス技術およびネットワークオペレータに対してアプリケーションをマッピングすることを可能にする。したがって、所与の時間/ロケーションにおいて、実装形態は、コスト、カバレージ、性能、および電力消費などの性能メトリックを改善するために、RAT/オペレータ選択を改善し得る。たとえば、呼接続/切断および呼の総合的品質は、最良のサービスカバレージを有するネットワークオペレータまたはRATを選択することによって改善され得る。他の利点には、最高のスループットまたは他のパラメータを有するネットワークオペレータ/RATを選択することによってアプリケーション性能を改善すること、最良のコスト(たとえば、音声/データプラン)を有するネットワークオペレータ/RATを選択することによってコストを低減すること、およびBSまでの距離(RF電力対距離)に基づいて電力消費を低減するネットワークオペレータ/RATを選択することによって電力消費を低減することが含まれる。本開示の一態様では、UEは、複数のRATと関連付けられた複数のモデム(たとえば、2つのモデム)を含む。マルチSIMは、輻輳したリンクを改善するために、利用可能なモデムと多重化され得る。モデムは、汎用集積回路カード(UICC)スロットおよび/またはプログラマブルVSIMのソフトウェア交換を含むSIM交換をサポートするように構成される。
【００６７】
図9は、接続エンジンに基づいてネットワークオペレータ間で選択を行うためのシステム900を示す。ネットワークオペレータ間で選択を行うためのシステム900は、UE 102内に実装され得る。ネットワークオペレータ間で選択を行うためのシステム900は、UE 102内に実装され得る。システム900は、第1のRATデバイス(たとえば、3GPP2 RAT(1x、DO、LTE))910、第2のRATデバイス(たとえば、WLAN)911、および第3のRATデバイス(たとえば、3GPP RAT(GPRS、HSPA、LTE))912と、複数のSIM 916，918，...，N(ここでNは整数)および/またはVSIM 924と、スイッチ914と、接続エンジン930と、アプリケーションプロセッサ/高レベルオペレーティングシステム(HLOS)905とを含む。
【００６８】
動作時、接続エンジン930は、複数のSIM 916，918，...，Nおよび/またはVSIM 924の選択に基づいてネットワークオペレータ間で動的に選択を行うように構成され得る。スイッチ914は、複数のSIM 916，918，...，Nおよび/またはVSIM 924と関連付けられた、選択されたネットワークオペレータに対応するRATの選択を可能にする。マルチSIMと連携する接続エンジンの実装形態は、ネットワークオペレータおよびRAT選択の選択範囲を広げて性能を改善するために、複数の無線アクセス技術およびネットワークオペレータに対してアプリケーションをマッピングすることを可能にする。
【００６９】
図10は、本開示の一態様によるネットワークオペレータ選択実施態様1000を示す。ネットワークオペレータ選択実施態様1000は、DSDA構成に従って実施され得る。ブロック1002で、1つまたは複数の起動されたアプリケーションに対するオペレータネットワークアクセスが要求される。ブロック1004で、オペレータネットワークは、デュアルキャリアプロファイルに基づいて起動されたアプリケーションに対してフィルタ処理され、ランクを付けられる。ブロック1006で、オペレータネットワークは、ユーザプロファイルまたはメトリック(たとえば、バッテリー、コスト)に基づいてフィルタ処理され、ランクを付けられる。ブロック1008で、1つまたは複数のネットワークオペレータが発見されるかどうかが判断される。ブロック1008で、1つまたは複数のネットワークオペレータが発見されるとき、実施態様は、ブロック1012に進み、そこで複数のネットワークオペレータが発見されるかどうかが判断される。そうでない場合、実施態様はブロック1010に進み、そこで起動されたアプリケーションが拒絶される。ブロック1012で、複数のネットワークオペレータが発見されるとき、実施態様は、ブロック1016に進み、そこで通信事業者/ユーザポリシーが厳しい順序付けを規定するかどうかが判断される。そうでない場合、ブロック1014で、実施態様は、ネットワークを高レベルオペレーティングシステム(HLOS)に戻す。ブロック1016で、通信事業者/ユーザポリシーが厳しい順序付けを規定するとき、ブロック1024で、実施態様は、ネットワークオペレータのリストをHLOSに戻す。そうでない場合、実施態様はブロック1018に進み、そこでアプリケーションが要件(たとえば、帯域幅などのメトリック)を含むかどうかが判断される。ブロック1018で、アプリケーションが要件を含むと判断されるとき、ブロック1020で、実施態様は、メトリック要件に基づいてアプリケーションに対してネットワークオペレータをランク付けし、次に、ブロック1024に進む。そうでない場合、実施態様は、WLAN選好(たとえば、通信事業者Wi-Fi、ホームSSID)に基づいてアプリケーションに対してネットワークオペレータをランク付けし、次に、ブロック1024に進む。
【００７０】
図11に示すように、UEの接続エンジン、モデム、および/またはスイッチングデバイスなどの装置は、ブロック1102に示すように、UEの複数のSIMをUEの複数の無線通信回線と関連付けることができる。装置は、関連付けに少なくとも部分的に基づいてUEと通信することができる。
【００７１】
図12は、動的ネットワークオペレータ選択システム1214を使用する装置1200のハードウェア実装の一例を示す図である。動的ネットワークオペレータ選択システム1214は、バス1224によって全般的に表されるバスアーキテクチャで実装され得る。バス1224は、動的ネットワークオペレータ選択システム1214の具体的な用途および全体的な設計制約に応じて、任意の数の相互接続するバスおよびブリッジを含み得る。バス1224は、1つまたは複数のプロセッサおよび/またはハードウェアモジュール(プロセッサ1222、関連付けモジュール1202、および通信ジュール1204によって表される)ならびにコンピュータ可読媒体1226を含む様々な回路を互いにリンクさせる。バス1224は、タイミングソース、周辺機器、電圧調整器、および電力管理回路など、様々な他の回路を接続することもでき、これらの回路は当技術分野で既知であるのでこれ以上は説明しない。
【００７２】
装置は、トランシーバ1230に接続された動的ネットワークオペレータ選択システム1214を含む。トランシーバ1230は、1つまたは複数のアンテナ1220に接続される。トランシーバ1230は、送信媒体上の様々な他の装置と通信するための手段を提供する。動的ネットワークオペレータ選択システム1214は、コンピュータ可読媒体1226に接続されたプロセッサ1222を含む。プロセッサ1222は、コンピュータ可読媒体1226上に記憶されたソフトウェアの実行を含む全般的な処理を受け持つ。ソフトウェアは、プロセッサ1222によって実行されると、任意の特定の装置の上記で説明した様々な機能を動的ネットワークオペレータ選択システム1214に実行させる。コンピュータ可読媒体1226は、ソフトウェアを実行するとき、プロセッサ1222によって操作されるデータを記憶するために使用される場合もある。動的ネットワークオペレータ選択システム1214は、UEの複数のSIMをUEの複数の無線通信回線と関連付けるための関連付けモジュール1202と、その関連付けに少なくとも部分的に基づいてUEと通信するための通信モジュール1204とをさらに含む。関連付けモジュール1202および通信モジュール1204は、非一時的コンピュータ可読媒体1226に存在する/記憶される、プロセッサ1222で動作しているソフトウェアモジュール、プロセッサ1222に接続された1つもしくは複数のハードウェアモジュール、またはそれらの何らかの組合せとすることができる。動的ネットワークオペレータ選択システム1214は、UE 102の構成要素であってよく、メモリ682および/またはコントローラ/プロセッサ680を含んでよい。
【００７３】
一構成では、ワイヤレス通信のための装置1200は、関連付けるための手段を含む。手段は、UE 102/206、コントローラ/プロセッサ680、メモリ682、接続エンジン830/832、RATデバイス810/812、モデム826/828、スイッチ814/820、関連付けモジュール1202、および/または関連付け手段によって挙げられた機能を実行するように構成された装置1200の動的ネットワークオペレータ選択システム1214であってよい。上記で説明したように、動的ネットワークオペレータ選択システム1214は、UE 102の構成要素であってよく、メモリ682および/またはコントローラ/プロセッサ680を含んでよい。別の態様では、前述の手段は、前述の手段によって挙げられる機能を実行するように構成された任意のモジュールまたは任意の装置とすることができる。
【００７４】
一構成では、ワイヤレス通信のための装置1200は、通信するための手段を含む。手段は、UE 102/206、アンテナ652、送信プロセッサ664、接続エンジン830/832、RATデバイス810/812、モデム826/828、通信モジュール1204、および/またはその手段によって挙げられた機能を実行するように構成された装置1200の動的ネットワークオペレータ選択システム1214であってよい。上記で説明したように、動的ネットワークオペレータ選択システム1214は、UE 102の構成要素であってよく、メモリ682および/またはコントローラ/プロセッサ680を含んでよい。別の態様では、前述の手段は、前述の手段によって挙げられる機能を実行するように構成された任意のモジュールまたは任意の装置とすることができる。
【００７５】
さらに、本明細書の開示に関して説明した様々な例示的な論理ブロック、モジュール、回路、およびアルゴリズムステップは、電子ハードウェア、コンピュータソフトウェア、またはそれら両方の組合せとして実装され得ることを、当業者は理解されよう。ハードウェアとソフトウェアとのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱をもたらすものと解釈すべきではない。
【００７６】
本明細書の開示に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)、もしくは他のプログラマブル論理デバイス、個別ゲートもしくはトランジスタ論理、個別ハードウェア構成要素、または、本明細書で説明する機能を実行するように設計されたそれらの任意の組合せで実装または実行することができる。汎用プロセッサはマイクロプロセッサであり得るが、代替として、プロセッサは、任意の従来のプロセッサ、コントローラ、マイクロコントローラ、または状態機械であり得る。また、プロセッサは、複数のコンピューティングデバイスの組合せ、たとえば、DSPとマイクロプロセッサとの組合せ、複数のマイクロプロセッサ、DSPコアと連携する1つまたは複数のマイクロプロセッサ、または任意の他のそのような構成として実装され得る。
【００７７】
本明細書の開示に関して説明する方法またはアルゴリズムのステップは、直接ハードウェアで実施されるか、プロセッサによって実行されるソフトウェアモジュールで実施されるか、またはそれら2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で既知の任意の他の形態の非一時的記憶媒体中に存在し得る。例示的な非一時的コンピュータ可読記憶媒体は、プロセッサが記憶媒体から情報を読み取り、記憶媒体に情報を書き込むことができるように、プロセッサに接続される。代替として、非一時的コンピュータ可読記憶媒体は、プロセッサと一体であり得る。プロセッサおよび記憶媒体は、ASIC中に存在し得る。ASICは、ユーザ端末内に存在することができる。代替として、プロセッサおよび記憶媒体は、ユーザ端末中に個別構成要素として存在し得る。
【００７８】
1つまたは複数の例示的な設計では、説明した機能を、ハードウェア、ソフトウェア、ファームウェア、または任意のそれらの組合せで実装することができる。ソフトウェアで実装する場合、機能は、1つまたは複数の命令またはコードとしてコンピュータ可読媒体上に記憶されるか、またはコンピュータ可読媒体を介して送信され得る。非一時的コンピュータ可読記憶媒体は、汎用または専用コンピュータによってアクセスできる任意の利用可能な媒体とすることができる。限定ではなく例として、そのような非一時的コンピュータ可読媒体は、RAM、ROM、EEPROM、CD-ROM、もしくは他の光ディスクストレージ、磁気ディスクストレージもしくは他の磁気ストレージデバイス、または、命令またはデータ構造の形態の所望のプログラムコード手段を搬送または記憶するために使用され、汎用もしくは専用コンピュータまたは汎用もしくは専用プロセッサによってアクセスされ得る任意の他の媒体を備え得る。本明細書で使用する場合、ディスク(disk)およびディスク(disc)は、コンパクトディスク(CD)、レーザーディスク、光ディスク、デジタル多用途ディスク(DVD)、フロッピーディスク、およびBlu-rayディスクを含み、通常、ディスク(disk)は、磁気的にデータを再生し、ディスク(disc)は、レーザーで光学的にデータを再生する。上記の組合せも非一時的コンピュータ可読記憶媒体の範囲内に含まれるべきである。
【００７９】
本開示の上記の説明は、いかなる当業者でも本開示を作成または使用することができるように記載されている。本開示への様々な修正が当業者には容易に明らかとなり、本明細書中で規定する一般原理は、本開示の趣旨および範囲を逸脱することなしに、他の変形形態に適用され得る。したがって、本開示は、本明細書で説明される例および設計に限定されるものではなく、本明細書で開示する原理および新規の特徴に一致する最大の範囲を与えられるものである。
【符号の説明】
【００８０】
100  発展型パケットシステム
102  ユーザ機器(UE)
104  発展型UMTS地上無線アクセスネットワーク(E-UTRAN)
106  発展型NodeB(eNodeB)
108  別のeNodeB
111  発展型パケットコア(EPC)
112  モビリティ管理エンティティ(MME)
114  他のMME
116  サービングゲートウェイ
118  パケットデータネットワーク(PDN)ゲートウェイ
121  ホーム加入者サーバ(HSS)
122  オペレータのIPサービス
200  アクセスネットワーク
202  セルラー領域(セル)
204  マクロeNodeB
206  UE
208  低電力クラスeNodeB
210  セルラー領域
612  データソース
620  送信プロセッサ
630  送信(TX)多入力多出力(MIMO)プロセッサ
632a，632t  変調器(MOD)
634a，634t  アンテナ
636  MIMO検出器
638  受信プロセッサ
639  データシンク
640  コントローラ/プロセッサ
641  X2インターフェース
642  メモリ
644  スケジューラ
652a，652r  アンテナ
654a，654r  変調器
656  MIMO検出器
658  受信プロセッサ
660  データシンク
662  データソース
664  送信プロセッサ
666  TX MIMOプロセッサ
680  コントローラ/プロセッサ
682  メモリ
700  ネットワークオペレータ選択システム
702  第1の加入者識別モジュール(SIM)
704  第2のSIM
706  スイッチングデバイス
708  接続エンジン
710  アクティブリンク
712  非アクティブリンク
714  第1のネットワークオペレータ
716  第2のネットワークオペレータ
718  無線アクセス技術(RAT)デバイス
720  第2世代(2G)/第3世代(3G)eNodeB
722  2G eNodeB
724  第4世代(4G)eNodeB
726  低コスト3G eNodeB
728  高コスト3G eNodeB
800  1つまたは複数のモデム構成に基づいてネットワークオペレータ間で選択を行うためのシステム
802  第1のアンテナ
804  第2のアンテナ
806  第3のアンテナ
808  無線フロントエンドデバイス
810  第1のRATデバイス
812  第2のRATデバイス
814  第1のスイッチ
816  第1のSIM
818  第2のSIM
820  第2のスイッチ
822  第3のSIM
824  第4のSIM
826  第1のモデム
828  第2のモデム
830，832  接続エンジン
900  ネットワークオペレータ間で選択を行うためのシステム
905  高レベルオペレーティングシステム(HLOS)/アプリケーションプロセッサ
910  第1のRATデバイス
911  第2のRATデバイス
912  第3のRATデバイス
914  スイッチ
916，918，N  SIM
924  仮想SIM(VSIM)
930  接続エンジン
1200  動的ネットワークオペレータ選択システムを使用する装置
1202  関連付けモジュール
1204  通信ジュール
1214  動的ネットワークオペレータ選択システム
1220  アンテナ
1222  プロセッサ
1224  バス
1226  コンピュータ可読媒体
1230  トランシーバ
【図１】
2015527774.tif 000003
【図２】
2015527774.tif 000004
【図３】
2015527774.tif 000005
【図４】
2015527774.tif 000006
【図５】
2015527774.tif 000007
【図６】
2015527774.tif 000008
【図７Ａ】
2015527774.tif 000009
【図７Ｂ】
2015527774.tif 000010
【図７Ｃ】
2015527774.tif 000011
【図７Ｄ】
2015527774.tif 000012
【図７Ｅ】
2015527774.tif 000013
【図７Ｆ】
2015527774.tif 000014
【図７Ｇ】
2015527774.tif 000015
【図７Ｈ】
2015527774.tif 000016
【図７Ｉ】
2015527774.tif 000017
【図８】
2015527774.tif 000018
【図９】
2015527774.tif 000019
【図１０】
2015527774.tif 000020
【図１１】
2015527774.tif 000021
【図１２】
2015527774.tif 000022
【国際調査報告】
2015527774.tif 000023
2015527774.tif 000024
2015527774.tif 000025